(57)【要約】【目的】出力の調整操作が容易で、良好に出力調整が行なえる多導子付低周波治療器を提供することにある。【構成】複数の出力チャンネル（３）を有し、出力チャンネル（３）毎に独立した出力調整器（１０）を備え、交流又は交流パルスの治療電流を人体表面に装着した導子（２）を介して患部に通電して治療を行なう治療器（１９）であって、治療していない出力チャンネル（３）に付いては、その出力チャンネル（３）の一対の導子（２）（２）間の交流インピーダンスを測定し、その結果により導子装着有無を判別し、各出力チャンネル（３）の出力調整器（１０）毎に設けた表示灯（１２）の表示により各出力チャンネル（３）毎の導子装着有無を表示する多導子付低周波治療器である。【選択図】      図１
2004147918.tif 000002
【特許請求の範囲】
【請求項１】
複数の出力チャンネル（３）を有し、出力チャンネル（３）毎に独立した出力調整器（１０）を備え、交流又は交流パルスの治療電流を人体表面に装着した導子（２）を介して患部に通電して治療を行なう治療器（１９）であって、
治療していない出力チャンネル（３）に付いては、その出力チャンネル（３）の一対の導子（２）（２）間の交流インピーダンスを測定し、その結果により導子装着有無を判別し、各出力チャンネル（３）の出力調整器（１０）毎に設けた表示灯（１２）の表示により各出力チャンネル（３）毎の導子装着有無を表示する多導子付低周波治療器。
【請求項２】
出力調整器（１０）毎に設けた表示灯（１２）の表示は、その出力調整器（１０）に係る出力チャンネル（３）が、治療していないときは導子装着有無を表示し、治療中は治療中であることを表示することを特徴とする請求項１記載の多導子付低周波治療器。
【発明の詳細な説明】
【０００１】
【産業上の利用分野】
本発明は、人体患部に低周波電流を通電し、電気治療を施す多導子付低周波治療器に関する。
【０００２】
【従来の技術】
【特許文献１】特開平９−８４８８５号
従来技術の特許文献１には、電極と、検出手段を備え、電極の実装か未実装を判別できるように構成した治療器が開示されている。
【０００３】
【発明が解決しようとする課題】
前記従来技術によれば、導電度を測定し、その結果により電極の実装／未実装などを治療前に判別できるが、多数の出力調整器毎にその電極装着状態を報知する構成、効果は開示されていない。
【０００４】
一般に、多チャンネル出力の低周波治療器は、導子を装着する部位によって筋や皮膚の電流感度が異なることに対処するため、チャンネル毎に出力電流を調整する出力調整器が設けられ、治療時は必ず使用するチャンネル毎に調整して使用する。
【０００５】
この場合、全てのチャンネルを使用して治療することは少なく、通常は一部のチャンネルのみで治療する。また複数の患者に導子を装着し、使用する場合もある。
【０００６】
通常の使用方法としては、先ず導子を患部に装着し、次に出力調整器を回して出力を開始、即ち治療を開始するという手順になる。
一方、従来技術では、各チャンネル毎に出力電流を調整する方式の低周波治療器の調整作業軽減については考慮されておらず、装着不良の導子の番号が分かるのみである。従って、導子が装着されているチャンネルの出力調整を行う場合は、チャンネルの番号を読み取り、記憶しその記憶に基づき出力調整ツマミを選択する、という作業が欠かせず、多くの手間と労力が掛かってしまうという問題がある。
初めから一部のチャンネルのみを使用する場合は更に不便で手間が掛かる。
【０００７】
又、従来技術では、電極の実装／未実装の検出原理は導電度を測定する方式のため、電極表面の汚れや錆びの影響を受け易いという問題があった。
【０００８】
本発明の目的は、出力の調整操作が容易で、良好に出力調整が行なえ、且つ、電極表面の状態とは関係なく確実に導子の装着を検出できる多導子付低周波治療器を提供することにある。
【０００９】
【課題を解決するための手段】
即ち本発明は、複数の出力チャンネル（３）を有し、出力チャンネル（３）毎に独立した出力調整器（１０）を備え、交流又は交流パルスの治療電流を人体表面に装着した導子（２）を介して患部に通電して治療を行なう治療器（１９）であって、治療していない出力チャンネル（３）に付いては、それぞれの一対の導子（２）（２）間の交流インピーダンスを測定し、その結果により導子装着有無を判別し、各出力チャンネル（３）の出力調整器（１０）毎に設けた表示灯（１２）の表示により各出力チャンネル（３）毎の導子装着有無を表示する多導子付低周波治療器である。
又、出力調整器（１０）毎に設けた表示灯（１２）の表示は、その出力調整器（１０）に係る出力チャンネル（３）が、治療していないときは導子装着有無を表示し、治療中は治療中であることを表示する。
【００１０】
【作用】
本発明の治療器１９は、多数の導子２を有し低周波電流を出力するものであり、該治療器１９を用いて、人体の多数部位に通電し、部位毎にそれぞれ適切な電流で通電治療する。
【００１１】
多数の出力チャンネル３は、それぞれ治療用の低周波電流を出力する。
出力チャンネル３毎に独立して備えられた出力調整器１０は、前記出力を調整する。
人体表面に装着された導子２は、出力チャンネル３から交流又は交流パルスの治療電流を得て、患部に通電する。
【００１２】
インピーダンス検出に係る電気的構成に存在する検出手段１４は、治療開始の前に各出力チャンネル３毎の一対の導子２、２間の交流インピーダンスを測定し、予め設定した設定インピーダンスの値と比較する。
【００１３】
一般に人体の電気的等価回路は１ＫΩの抵抗と０．１μＦのコンデンサの並列回路として扱われることが多いように、コンデンサ成分が比較的大きいという特性を持つ。従って、加える波形の周波数が高い程インピーダンスが下がるため、導子装着と非装着時の変化を大きくするためには周波数を上げることが有効となる。
【００１４】
又、導子の電極には金属が使用されることが多いため、使用してゆくに従って表面が酸化したり、また脂肪分などの絶縁性の汚れが付着することで導電性が低下する場合がよくある。これらの電極表面の導電性の影響についても、電極と皮膚との接触面はコンデンサ結合していることから、交流インピーダンス測定により検出する方法の場合は、導電度測定、即ち直流による抵抗値測定による導子検出に比べて汚れの影響を抑えることが可能となる。
【００１５】
判別機能１８は、交流インピーダンスの比較結果を元に各出力チャンネル３の導子装着有無を判別する。
各出力チャンネル３の出力調整器１０毎に設けた表示灯１２はその表示により各出力チャンネル３毎の導子装着有無を表示する。
【００１６】
出力調整器１０毎に設けた表示灯１２の表示は、その出力調整器１０に係る出力チャンネル３が、治療していないときは導子装着有無を表示し、治療中は治療中であることを表示する。即ち、出力調整器１０毎にその傍に設けた表示灯１２は、判別機能１８の出力をもとに点灯、点滅、消灯をなし、各出力チャンネル３の導子装着有無、または装着状態を表示する。
【００１７】
表示灯１２から導子２が装着されている各出力チャンネル３に付いて出力調整器１０を操作し、出力値を上げて行き好適な出力で治療を行なう。
【００１８】
【実施例】
図１、２に示す本発明の実施例治療器１９は、治療器本体１と、導子２とから構成される。
治療器本体１は、五個の出力チャンネル３（＝甲出力チャンネル３ａ、乙出力チャンネル３ｂ、丙出力チャンネル３ｃ、丁出力チャンネル３ｄ、戊出力チャンネル３ｅ）を備え、各出力チャンネル３にはそれぞれ一対の導子２、２が接続される。
【００１９】
出力チャンネル３は、導子２に治療用の低周波電流を付与する。導子２は低周波電流を患部に与え、当該患者に電気治療を施す。
【００２０】
一個の出力チャンネル３を取り上げてその構成を以下に説明する。
導子２は、吸引カップ４に電極５を収容して構成される。
一対の導子２、２は、治療部位に係る人体表面に間隔をもって吸着せられ、出力チャンネル３から付与された低周波電流を、一対の導子２、２へ付与するものである。前記一対の導子２、２間に通電路が形成され、患部へ低周波電流が通電される。
【００２１】
前記導子２は、可撓性を有するものであり、適宜に変形して患者表皮に好適に添う。
尚、吸引カップ４でなる前記導子２は、導電性ゴムに粘着性板状ゲル材を貼着してなるゲル導子に代えてもよい。
【００２２】
出力チャンネル３中の低周波電力発生に係る電気的構成は、各種の指示信号を発する制御部６（＝ＣＰＵ）と、制御部６の出力ポート１１に接続され、制御部６から出力設定信号を得、出力電流の強度を調整する出力調整器１０と、出力を発生する出力回路９と、治療電流と検出信号とを切り換える切換回路８と、切換回路８と導子２の間に介在して直流絶縁を図る絶縁回路１３と、発振を為す発振回路７と、検出電流を導子２に流し、該導子２に印加される電流と電圧を検出しインピーダンスを検出する検出手段１４と、制御部６の出力ポート１１に接続され、制御部６が擁する判別機能１８の出力信号を表示する表示灯１２とからなる。
【００２３】
前記制御部（ＣＰＵ）６は、施療者の操作に基づいて指示信号を発し、該指示信号は出力ポート１１を経由して、低周波電力発生に係る電気的構成に至り、該電気的構成を制御するものである。
【００２４】
更に、制御部６は、一対の導子２、２間のインピーダンスを検出した検出手段１４から、入力ポート１７を経由してインピーダンス検出値を得て、導子２の装着状態を判別する判別機能１８を有する。
【００２５】
前記検出手段１４は、交流電圧を検出する電圧検出回路１５と、交流電流を検出する電流検出回路１６とからなり、該両検出回路１５、１６の結果より、導子２のインピーダンスを検出する手段である。
【００２６】
表示灯１２は、点灯、点滅、消灯等の表示をもって導子２の人体表皮への装着状態の有無又は良否（＝判別結果）を施療者又は患者に報知する。該表示灯１２は、出力調整器１０の傍に設けられる。
【００２７】
治療器本体１には、制御部６及び前記電気的構成等でなる一個出力チャンネル３が前記の通り五個設けられ、各出力チャンネル３の出力端にはそれぞれ一対の導子２、２が設けられている。
【００２８】
実施例の使用態様を述べる。
治療器１９を用いて複数の患部に通電し、複数箇所を通電治療する。
最大五個所を通電治療できる。
【００２９】
一人（Ａ氏）の患者が二箇所のみを治療する場合は、二個の出力チャンネル３（甲、乙出力チャンネル３ａ、３ｂ）を作動させ、使用する。又、一人（Ａ氏）の患者が二箇所を治療している時に、後から他の人（Ｂ氏）が三箇所を治療する場合は、Ｂ氏に他の三個の出力チャンネル３（丙、丁、戊出力チャンネル３ｃ、３ｄ、３ｅ）を、先の甲、乙出力チャンネル３ａ、３ｂとは別個に作動させ、使用する。
【００３０】
二箇所を治療する場合、先ず、二個の出力チャンネル３に係る二対の導子２を人体表皮に貼る。
前記各一対導子２、２間に治療器本体１からの低周波電流を加電し、それぞれ一対導子２、２間の患部へ通電を行なう。
この場合、出力チャンネルは意識せず、先ず使用していない導子群の中から任意の二対を選んでもよい。
【００３１】
負圧を有し変形可能な導子２を人体表面に添わせて吸着させる。
尚、治療器本体１に真空ポンプ（図示省略）が設置され、導子２には、該導子２に負圧を掛けるホース２０及び出力調整器１０に繋がる電線（図示省略）が接続される。
【００３２】
複数の出力チャンネル３は、それぞれ導子装着有無の検査用の検査電流、及び治療用の低周波電流を出力できる。
【００３３】
治療停止時は常に患者が感じない程度の微弱な検査電圧がそれぞれ一対の導子２間へ与えられている。
【００３４】
電圧検出回路１５で、導子２に掛かる電圧を検出し、電流検出回路１６で、出力回路９から導子２に流入する電流を検出し、これらの両検出値から一対の導子２、２間のインピーダンスを検出（＝インピーダンス検出値）する。
【００３５】
出力チャンネル３が治療に供されていない時は、常に導子装着有無をチェックしている。
出力調整器１０毎に設けた表示灯１２の表示は、その出力調整器１０に係る出力チャンネル３が、治療していない時は、導子装着の有無を表示する。
【００３６】
インピーダンス検出値が設定値以下であれば、判別機能１８は導子２が良好に装着されていると判別し、表示灯１２を点滅させる。
インピーダンス検出値が設定値を超えれば、判別機能１８は導子２が良好に装着されていない（＝装着不良）か、或いは全く装着されていないと判別し、表示灯１２を消灯させる。
治療に供されていない出力チャンネル３に係る表示灯１２も消灯している。
【００３７】
出力調整器１０毎に設けた表示灯１２の表示は、その出力調整器１０に係る出力チャンネル３が治療中は、治療中であることを表示する。
出力チャンネル３が治療中は表示灯１２は点灯しており、出力調整器１０を、適宜位置まで回し出力を設定し、設定後は回さない。
【００３８】
施療者は点滅している表示灯１２の傍の出力調整器１０を回し、好適な出力に上昇調整する。出力チャンネル３から好適な低周波電流を導子２に付与し、通電治療を開始する。この開始に伴い、表示灯１２は点灯に変る。
【００３９】
治療を開始した後は、治療を終了するまで、検査電流を流さない。通電治療を実施し、所定時間が経過すると治療を終了する。
【００４０】
【発明の効果】
本発明は、各出力チャンネル３毎の一対の導子２、２間の交流インピーダンスを測定し、その結果により各出力チャンネル３毎の導子装着有無を判別し、出力調整器１０毎に設けた表示灯１２の表示により各出力チャンネル３毎の導子装着有無を表示するものである。この構成では導子装着状態を、出力調整器１０の近くの表示灯１２で示すので、表示灯１２の点滅状態から、操作すべき出力調整器１０が即座に分かり、出力調整器１０と、該出力調整器１０に繋がる導子２との照合等の手数が省け、出力調整器１０の操作が行ない易くなり、好都合である。
【００４１】
又、治療開始の前に、交流インピーダンスを用いた検出手段１４により、導子装着有無を検出するので、コンデンサ成分が比較的大きいという特性をもつ人体への導子２の装着、非装着時のインピーダンス変化は大きく、該導子２の装着有無が正確に判別でき、又、電極５と皮膚との接触面はコンデンサ結合しているので導子装着時には、電極５表面の汚れや錆びの影響を受けずに通電し、正確に、導子装着状態を検出でき、好都合である。
【００４２】
本発明は、出力調整器１０毎に設けた表示灯１２の表示は、その出力調整器１０に係る出力チャンネル３が、治療していないときは導子装着有無を表示し、治療中は治療中であることを表示するものであるから、導子装着状態を、出力調整器１０の近くの表示灯１２で示すので、表示灯１２の点灯・点滅・消灯状態から、当該表示灯１２の出力チャンネル３が治療中か非治療中かが分かり、導子２の扱いが容易となり、出力調整器１０の操作が行ない易くなり、好都合である。
【図面の簡単な説明】
【図１】本発明の実施例のブロック図である。
【図２】本発明の実施例の治療器の斜視外観図である。
【符号の説明】
２    導子
３    出力チャンネル
１０    出力調整器
１２    表示灯
１９    治療器
【図１】
2004147918.tif 000003
【図２】
2004147918.tif 000004